(57)【要約】【課題】Ｅ-ＲＡＢとＵｕ無線ベアラとＵｎ無線ベアラとＳ１ベアラとを適切にマッピングする。【解決手段】本発明に係る移動通信システムでは、複数の移動局ＵＥとリレーノードＲＮとの間で設定される複数のＵｕ無線ベアラのうち、異なる移動局ＵＥ用として設定される所定ＱｏＳ用のＵｕ無線ベアラの各々を、リレーノードＲＮと無線基地局ＤｅＮＢとの間で設定される所定ＱｏＳ用のＵｎ無線ベアラにマッピングするように構成されている。【選択図】図２
2010283792.tif 000002
【特許請求の範囲】
【請求項１】
複数の移動局と、リレーノードと、無線基地局とを具備する移動通信システムであって、
前記複数の移動局と前記リレーノードとの間で設定される複数の第１無線ベアラのうち、異なる移動局用として設定される所定ＱｏＳ用の第１無線ベアラの各々を、該リレーノードと前記無線基地局との間で設定される該所定ＱｏＳ用の第２無線ベアラにマッピングするように構成されていることを特徴とする移動通信システム。
【請求項２】
前記リレーノードは、前記所定ＱｏＳ用の第１無線ベアラの各々に割り当てられている優先度に基づいて、該所定ＱｏＳ用の第１無線ベアラの各々を介して受信した上りユーザデータの該所定ＱｏＳ用の第２無線ベアラへの多重化処理に対する優先制御処理を行うように構成されている優先制御処理部を具備することを特徴とする請求項１に記載の移動通信システム。
【請求項３】
前記無線基地局とゲートウェイ装置との間で設定される複数のベアラのうち、異なる移動局用として設定される所定ＱｏＳ用のベアラの各々を、該所定ＱｏＳ用の第２無線ベアラにマッピングするように構成されていることを特徴とする請求項１に記載の移動通信システム。
【請求項４】
前記無線基地局は、前記所定ＱｏＳ用のベアラの各々に割り当てられている優先度に基づいて、該所定ＱｏＳ用のベアラの各々を介して受信した下りユーザデータの該所定ＱｏＳ用の第２無線ベアラへの多重化処理に対する優先制御処理を行うように構成されている優先制御処理部を具備することを特徴とする請求項３に記載の移動通信システム。
【請求項５】
前記ゲートウェイ装置は、各移動局用のゲートウェイ装置と、前記リレーノード用のゲートウェイ装置とを具備し、
前記所定ＱｏＳ用のベアラは、前記リレーノードと前記リレーノード用のゲートウェイ装置との間で設定されるように構成されており、
前記リレーノード用のゲートウェイ装置は、前記所定ＱｏＳ用のベアラの各々に割り当てられている優先度に基づいて、該所定ＱｏＳ用のベアラの各々を介した下りユーザデータの送信処理に対する優先制御処理を行うように構成されている優先制御処理部を具備することを特徴とする請求項３又は４に記載の移動通信システム。
【請求項６】
リレーノードであって、
複数の移動局と前記リレーノードとの間で設定される複数の第１無線ベアラのうち、異なる移動局用として設定される所定ＱｏＳ用の第１無線ベアラの各々を、該リレーノードと前記無線基地局との間で設定される該所定ＱｏＳ用の第２無線ベアラにマッピングするように構成されているマッピング処理部と、
前記所定ＱｏＳ用の第１無線ベアラの各々に割り当てられている優先度に基づいて、該所定ＱｏＳ用の第１無線ベアラの各々を介して受信した上りユーザデータの該所定ＱｏＳ用の第２無線ベアラへの多重化処理に対する優先制御処理を行うように構成されている優先制御処理部とを具備することを特徴とするリレーノード。
【請求項７】
無線基地局であって、
前記無線基地局とゲートウェイ装置との間で設定される複数のベアラのうち、異なる移動局用として設定される所定ＱｏＳ用のベアラの各々を、リレーノードと該無線基地局との間で設定される該所定ＱｏＳ用の無線ベアラにマッピングするように構成されているマッピング処理部と、
前記所定ＱｏＳ用のベアラの各々に割り当てられている優先度に基づいて、該所定ＱｏＳ用のベアラの各々を介して受信した下りユーザデータの該所定ＱｏＳ用の無線ベアラへの多重化処理に対する優先制御処理を行うように構成されている優先制御処理部とを具備することを特徴とする無線基地局。
【請求項８】
リレーノード用のゲートウェイ装置であって、
無線基地局と前記ゲートウェイ装置との間で設定される複数のベアラのうち、異なる移動局用として設定される所定ＱｏＳ用のベアラの各々が、前記リレーノードと該無線基地局との間で設定される該所定ＱｏＳ用の無線ベアラにマッピングされるように構成されている場合に、該所定ＱｏＳ用のベアラの各々に割り当てられている優先度に基づいて、該所定ＱｏＳ用のベアラの各々を介した下りユーザデータの送信処理に対する優先制御処理を行うように構成されている優先制御処理部とを具備することを特徴とするゲートウェイ装置。
【発明の詳細な説明】
【技術分野】
【０００１】
本発明は、移動通信システム、リレーノード、無線基地局及びゲートウェイ装置に関する。
【背景技術】
【０００２】
ＬＴＥ方式の後継の通信方式であるＬＴＥ-Ａｄｖａｎｃｅｄ方式の移動通信システムでは、移動局ＵＥと無線基地局ＤｅＮＢとの間に、無線基地局ＤｅＮＢと同様な機能を具備する「リレーノード（Ｒｅｌａｙ  Ｎｏｄｅ）ＲＮ」を接続することができる。
【０００３】
図１に示すように、かかるＬＴＥ-Ａｄｖａｎｃｅｄ方式の移動通信システムでは、Ｕプレーン用ベアラとして、移動局ＵＥとゲートウェイ装置Ｓ-ＧＷ（Ｓｅｒｖｉｎｇ-Ｇａｔｅｗａｙ）との間で、Ｅ-ＲＡＢ（Ｅ-ＵＴＲＡＮ  Ｒａｄｉｏ  Ａｃｃｅｓｓ  Ｂｅａｒｅｒ、移動局ＵＥ用のベアラ）が設定され、移動局ＵＥとリレーノードＲＮとの間で、Ｕｕ無線ベアラ（第１無線ベアラ）が設定され、リレーノードＲＮと無線基地局ＤｅＮＢとの間で、Ｕｎ無線ベアラ（第２無線ベアラ）が設定され、無線基地局ＤｅＮＢとゲートウェイ装置Ｓ-ＧＷとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【発明の概要】
【発明が解決しようとする課題】
【０００５】
しかしながら、現時点では、ＬＴＥ-Ａｄｖａｎｃｅｄ方式の移動通信システムにおいて、Ｅ-ＲＡＢとＵｕ無線ベアラとＵｎ無線ベアラとＳ１ベアラとを、どのようにマッピングすべきかについて規定されていないという問題点があった。
【０００６】
そこで、本発明は、上述の課題に鑑みてなされたものであり、Ｅ-ＲＡＢとＵｕ無線ベアラとＵｎ無線ベアラとＳ１ベアラとを適切にマッピングすることができる移動通信システム、リレーノード、無線基地局及びゲートウェイ装置を提供することを目的とする。
【課題を解決するための手段】
【０００７】
本発明の第１の特徴は、複数の移動局と、リレーノードと、無線基地局とを具備する移動通信システムであって、前記複数の移動局と前記リレーノードとの間で設定される複数の第１無線ベアラのうち、異なる移動局用として設定される所定ＱｏＳ用の第１無線ベアラの各々を、該リレーノードと前記無線基地局との間で設定される該所定ＱｏＳ用の第２無線ベアラにマッピングするように構成されていることを要旨とする。
【０００８】
本発明の第２の特徴は、リレーノードであって、複数の移動局と前記リレーノードとの間で設定される複数の第１無線ベアラのうち、異なる移動局用として設定される所定ＱｏＳ用の第１無線ベアラの各々を、該リレーノードと前記無線基地局との間で設定される該所定ＱｏＳ用の第２無線ベアラにマッピングするように構成されているマッピング処理部と、前記所定ＱｏＳ用の第１無線ベアラの各々に割り当てられている優先度に基づいて、該所定ＱｏＳ用の第１無線ベアラの各々を介して受信した上りユーザデータの該所定ＱｏＳ用の第２無線ベアラへの多重化処理に対する優先制御処理を行うように構成されている優先制御処理部とを具備することを要旨とする。
【０００９】
本発明の第３の特徴は、無線基地局であって、前記無線基地局とゲートウェイ装置との間で設定される複数のベアラのうち、異なる移動局用として設定される所定ＱｏＳ用のベアラの各々を、リレーノードと該無線基地局との間で設定される該所定ＱｏＳ用の無線ベアラにマッピングするように構成されているマッピング処理部と、前記所定ＱｏＳ用のベアラの各々に割り当てられている優先度に基づいて、該所定ＱｏＳ用のベアラの各々を介して受信した下りユーザデータの該所定ＱｏＳ用の無線ベアラへの多重化処理に対する優先制御処理を行うように構成されている優先制御処理部とを具備することを要旨とする。
【００１０】
本発明の第４の特徴は、リレーノード用のゲートウェイ装置であって、無線基地局と前記ゲートウェイ装置との間で設定される複数のベアラのうち、異なる移動局用として設定される所定ＱｏＳ用のベアラの各々が、前記リレーノードと該無線基地局との間で設定される該所定ＱｏＳ用の無線ベアラにマッピングされるように構成されている場合に、該所定ＱｏＳ用のベアラの各々に割り当てられている優先度に基づいて、該所定ＱｏＳ用のベアラの各々を介した下りユーザデータの送信処理に対する優先制御処理を行うように構成されている優先制御処理部とを具備することを要旨とする。
【発明の効果】
【００１１】
以上説明したように、本発明によれば、Ｅ-ＲＡＢとＵｕ無線ベアラとＵｎ無線ベアラとＳ１ベアラとを適切にマッピングすることができる移動通信システム、リレーノード、無線基地局及びゲートウェイ装置を提供することができる。
【図面の簡単な説明】
【００１２】
【図１】本発明の第１の実施形態に係る移動通信システムの全体構成図である。
【図２】本発明の第１の実施形態に係る移動通信システムにおいて設定されているＵｕ無線ベアラ及びＵｎ無線ベアラについて説明するための図である。
【図３】本発明の第１の実施形態に係る移動通信システムにおいて設定されているＵｕ無線ベアラ及びＵｎ無線ベアラについて説明するための図である。
【図４】本発明の第１の実施形態に係る移動通信システム内で行われるＵＥ毎の優先制御処理について説明するための図である。
【図５】本発明の第１の実施形態に係る移動通信システム内で行われるＵＥ毎の優先制御処理について説明するための図である。
【図６】本発明の第１の実施形態に係る移動通信システム内で行われるＵＥ毎の優先制御処理について説明するための図である。
【図７】本発明の第１の実施形態に係る移動通信システム内で行われるＵＥ毎の優先制御処理について説明するための図である。
【図８】本発明の第１の実施形態に係る移動通信システム内で行われるＵＥ毎の優先制御処理について説明するための図である。
【図９】本発明の第１の実施形態に係る移動通信システム内で行われるＵＥ毎の優先制御処理について説明するための図である。
【図１０】本発明の第１の実施形態に係る移動通信システム内で行われるＵＥ毎の優先制御処理について説明するための図である。
【発明を実施するための形態】
【００１３】
（本発明の第１の実施形態に係る移動通信システム）
図１乃至１０を参照して、本発明の第１の実施形態に係る移動通信システムについて説明する。
【００１４】
本発明の第１の実施形態に係る移動通信システムは、ＬＴＥ-Ａｄｖａｎｃｅｄ方式の移動通信システムであって、図１に示すように、Ｕプレーン用ベアラとして、移動局ＵＥと交換局ＭＭＥとの間で、Ｅ-ＲＡＢが設定され、移動局ＵＥとリレーノードＲＮとの間の第１無線区間で、Ｕｕ無線ベアラが設定され、リレーノードＲＮと無線基地局ＤｅＮＢとの間の第２無線区間で、Ｕｎ無線ベアラが設定され、無線基地局ＤｅＮＢとゲートウェイ装置Ｓ-ＧＷとの間で、Ｓ１ベアラが設定されるように構成されている。
【００１５】
本実施形態に係る移動通信システムでは、具体的には、図２に示すように、Ｅ-ＲＡＢとＵｕ無線ベアラとＵｎ無線ベアラとＳ１ベアラとがマッピングされるように構成されている。
【００１６】
具体的には、図３に示すように、本実施形態に係る移動通信システムでは、リレーノードＲＮのマッピング処理部が、複数の移動局ＵＥ＃０〜ＵＥ＃ｎとリレーノードＲＮとの間で設定される複数のＵｕ無線ベアラのうち、異なる移動局ＵＥ用として設定される所定ＱｏＳ用のＵｕ無線ベアラの各々を、リレーノードＲＮと無線基地局ＤｅＮＢとの間で設定される所定ＱｏＳ用のＵｎ無線ベアラＸ〜Ｚにマッピングするように構成されている。
【００１７】
例えば、図３に示すように、移動局ＵＥ＃０用として設定されているＱｏＳ＃０用のＵｕ無線ベアラＡ０及び移動局ＵＥ＃ｎ用として設定されているＱｏＳ＃０用のＵｕ無線ベアラＢ０が、ＱｏＳ＃０用のＵｎ無線ベアラＸにマッピングされるように構成されている。
【００１８】
ここで、移動局ＵＥ＃０用として設定されているＱｏＳ＃０用のＵｕ無線ベアラＡ０は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃０）とＵｕ無線ベアラの識別情報（ＤＲＢ＃０）とによって特定されるように構成されており、移動局ＵＥ＃ｎ用として設定されているＱｏＳ＃０用のＵｕ無線ベアラＢ０は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃０）とＵｕ無線ベアラの識別情報（ＤＲＢ＃０）とによって特定されるように構成されている。
【００１９】
また、ＱｏＳ＃０用のＵｎ無線ベアラＸは、リレーノードＲＮの識別情報（ＣＲＮＴＩ（ＲＮ））と第２無線区間におけるＥ-ＲＡＢの識別情報（Ｅ-ＲＡＢ＃０）とＵｎ無線ベアラの識別情報（ＤＲＢ＃０）とによって特定されるように構成されている。
【００２０】
同様に、図３の例では、移動局ＵＥ＃０用として設定されているＱｏＳ＃１用のＵｕ無線ベアラＡ１及び移動局ＵＥ＃ｎ用として設定されているＱｏＳ＃１用のＵｕ無線ベアラＢ１が、ＱｏＳ＃１用のＵｎ無線ベアラＹにマッピングされるように構成されている。
【００２１】
ここで、移動局ＵＥ＃０用として設定されているＱｏＳ＃１用のＵｕ無線ベアラＡ１は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃１）とＵｕ無線ベアラの識別情報（ＤＲＢ＃１）とによって特定されるように構成されており、移動局ＵＥ＃ｎ用として設定されているＱｏＳ＃１用のＵｕ無線ベアラＢ１は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃１）とＵｕ無線ベアラの識別情報（ＤＲＢ＃１）とによって特定されるように構成されている。
【００２２】
また、ＱｏＳ＃１用のＵｎ無線ベアラＹは、リレーノードＲＮの識別情報（ＣＲＮＴＩ（ＲＮ））と第２無線区間におけるＥ-ＲＡＢの識別情報（Ｅ-ＲＡＢ＃１）とＵｎ無線ベアラの識別情報（ＤＲＢ＃１）とによって特定されるように構成されている。
【００２３】
さらに、図３の例では、移動局ＵＥ＃０用として設定されているＱｏＳ＃２用のＵｕ無線ベアラＡ２及び移動局ＵＥ＃ｎ用として設定されているＱｏＳ＃２用のＵｕ無線ベアラＢ２が、ＱｏＳ＃２用のＵｎ無線ベアラＺにマッピングされるように構成されている。
【００２４】
ここで、移動局ＵＥ＃０用として設定されているＱｏＳ＃２用のＵｕ無線ベアラＡ２は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃２）とＵｕ無線ベアラの識別情報（ＤＲＢ＃２）とによって特定されるように構成されており、移動局ＵＥ＃ｎ用として設定されているＱｏＳ＃２用のＵｕ無線ベアラＢ２は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃２）とＵｕ無線ベアラの識別情報（ＤＲＢ＃２）とによって特定されるように構成されている。
【００２５】
また、ＱｏＳ＃２用のＵｎ無線ベアラＺは、リレーノードＲＮの識別情報（ＣＲＮＴＩ（ＲＮ））と第２無線区間におけるＥ-ＲＡＢの識別情報（Ｅ-ＲＡＢ＃２）とＵｎ無線ベアラの識別情報（ＤＲＢ＃２）とによって特定されるように構成されている。
【００２６】
具体的には、リレーノードＲＮのマッピング処理部が、図３に示すようなＵＥコンテキストを管理することによって、上述のマッピングを行うように構成されている。
【００２７】
また、図３に示すように、本実施形態に係る移動通信システムでは、無線基地局ＤｅＮＢのマッピング処理部は、無線基地局ＤｅＮＢとゲートウェイ装置Ｓ-ＧＷとの間で設定される複数のＳ１ベアラのうち、異なる移動局ＵＥ＃０〜ＵＥ＃ｎ用として設定される所定ＱｏＳ用のＳ１ベアラの各々を、所定ＱｏＳ用のＵｎ無線ベアラＸ〜Ｚにマッピングするように構成されていてもよい。
【００２８】
例えば、図３に示すように、移動局ＵＥ＃０用として設定されるＱｏＳ＃０用のＳ１ベアラ及び移動局ＵＥ＃ｎ用として設定されるＱｏＳ＃０用のＳ１ベアラは、Ｕｎ無線ベアラＸにマッピングされるように構成されている。
【００２９】
ここで、移動局ＵＥ＃０用として設定されるＱｏＳ＃０用のＳ１ベアラは、ＴＥＩＤ＃０によって特定されるように構成されており、移動局ＵＥ＃ｎ用として設定されるＱｏＳ＃０用のＳ１ベアラは、ＴＥＩＤ＃３によって特定されるように構成されている。
【００３０】
同様に、移動局ＵＥ＃０用として設定されるＱｏＳ＃１用のＳ１ベアラ及び移動局ＵＥ＃ｎ用として設定されるＱｏＳ＃１用のＳ１ベアラは、Ｕｎ無線ベアラＹにマッピングされるように構成されている。
【００３１】
ここで、移動局ＵＥ＃０用として設定されるＱｏＳ＃１用のＳ１ベアラは、ＴＥＩＤ＃１によって特定されるように構成されており、移動局ＵＥ＃ｎ用として設定されるＱｏＳ＃１用のＳ１ベアラは、ＴＥＩＤ＃４によって特定されるように構成されている。
【００３２】
さらに、移動局ＵＥ＃０用として設定されるＱｏＳ＃２用のＳ１ベアラ及び移動局ＵＥ＃ｎ用として設定されるＱｏＳ＃２用のＳ１ベアラは、Ｕｎ無線ベアラＺにマッピングされるように構成されている。
【００３３】
ここで、移動局ＵＥ＃０用として設定されるＱｏＳ＃２用のＳ１ベアラは、ＴＥＩＤ＃２によって特定されるように構成されており、移動局ＵＥ＃ｎ用として設定されるＱｏＳ＃２用のＳ１ベアラは、ＴＥＩＤ＃５によって特定されるように構成されている。
【００３４】
具体的には、無線基地局ＤｅＮＢのマッピング処理部が、図３に示すようなＵＥコンテキストを管理することによって、上述のマッピングを行うように構成されている。
【００３５】
また、図４に示すように、無線基地局ＤｅＮＢは、ＭＡＣ（Ｍｅｄｉａ  Ａｃｃｅｓｓ  Ｃｏｎｔｒｏｌ）レイヤ機能と、ＭＡＣレイヤ機能の上位レイヤ機能であるＲＬＣ（Ｒａｄｉｏ  Ｌｉｎｋ  Ｃｏｎｔｒｏｌ）レイヤ機能と、ＲＬＣレイヤ機能の上位レイヤであるＰＤＣＰ（Ｐａｃｋｅｔ  Ｄａｔａ  Ｃｏｎｖｅｒｇｅｎｃｅ  Ｐｒｏｔｏｃｏｌ）レイヤ機能とを具備している。
【００３６】
ＰＤＣＰレイヤ機能は、Ｕｎ無線ベアラに対して送信する下りユーザデータに対して、ＲＯＨＣ（Ｒｏｂｕｓｔ  Ｈｅａｄｅｒ  Ｃｏｍｐｒｅｓｓｉｏｎ）処理やセキュリティ処理を行うように構成されている。
【００３７】
また、ＰＤＣＰレイヤ機能は、無線基地局ＤｅＮＢに対して接続されている移動局用の無線ベアラに対して送信する下りユーザデータに対して、ＲＯＨＣ（Ｒｏｂｕｓｔ  Ｈｅａｄｅｒ  Ｃｏｍｐｒｅｓｓｉｏｎ）処理やセキュリティ処理を行うように構成されている。
【００３８】
ＲＬＣレイヤ機能は、Ｕｎ無線ベアラに対して送信する下りユーザデータに対して、セグメント化処理やＡＲＱ（Ａｕｔｏｍａｔｉｃ  Ｒｅｐｅａｔ  Ｒｅｑｕｅｓｔ）処理等を行うように構成されている。
【００３９】
また、ＲＬＣレイヤ機能は、無線基地局ＤｅＮＢに対して接続されている移動局用の無線ベアラに対して送信する下りユーザデータに対して、セグメント化処理やＡＲＱ処理等を行うように構成されている。
【００４０】
ＭＡＣレイヤ機能は、Ｕｎ無線ベアラに対して送信する下りユーザデータに対して、スケジューリング処理や優先制御処理やＨＡＲＱ（Ｈｙｂｒｉｄ-ＡＲＱ）処理等を行うように構成されている。
【００４１】
また、ＭＡＣレイヤ機能は、無線基地局ＤｅＮＢに対して接続されている移動局用の無線ベアラに対して送信する下りユーザデータに対して、スケジューリング処理や優先制御処理や多重化処理やＨＡＲＱ処理を行うように構成されている。
【００４２】
ここで、ＭＡＣレイヤ機能に設けられている優先制御処理部が、所定ＱｏＳ用のＳ１ベアラの各々に割り当てられている優先度に基づいて、所定ＱｏＳ用のＳ１ベアラの各々を介して受信した下りユーザデータの所定ＱｏＳ用のＵｎ無線ベアラへの多重化処理に対する優先制御処理（ＵＥ毎の優先制御処理）を行うように構成されていてもよい。
【００４３】
なお、かかる優先制御処理（ＵＥ毎の優先制御処理）は、図５に示すように、無線基地局ＤｅＮＢのＰＤＣＰレイヤ機能の上位レイヤ機能に設けられている優先制御処理部において行われるように構成されていてもよい。
【００４４】
具体的には、かかる優先制御処理部は、各移動局ＵＥの契約情報等に基づいて、各Ｓ１ベアラに対して「ＡＲＰ（Ａｌｌｏｃａｔｉｏｎ  ａｎｄ  Ｒｅｔｅｎｔｉｏｎ  Ｐｒｉｏｒｉｔｙ）優先度」を設定し、同一のＵｎ無線ベアラに対して、「ＡＲＰ優先度」の高いＳ１ベアラを介して受信した下りユーザデータを優先的に多重するように構成されている。
【００４５】
図６の例では、かかる優先制御処理部は、「ＡＲＰ優先度：１」が設定されているＳ１ベアラ（ＴＥＩＤ＃０）を介して受信した移動局ＵＥ＃０用の下りユーザデータを、「ＡＲＰ優先度：１０」が設定されているＳ１ベアラ（ＴＥＩＤ＃３）を介して受信した移動局ＵＥ＃ｎ用の下りユーザデータよりも優先的に、Ｕｎ無線ベアラＸに多重するように構成されている。
【００４６】
ここで、図７に示すように、同一のグループに属する移動局ＵＥ＃１及びＵＥ＃２に対して、同一ネットワークＰｒｅｆｉｘのＩＰアドレスが割り当てられるように構成されていてもよい。
【００４７】
または、同一のグループに属する移動局ＵＥ＃１及びＵＥ＃２に対して、上位ビット又は下位ビットの所定数が同一のＳＰＩＤ（Ｓｕｂｓｃｒｉｂｅｒ  Ｐｒｏｆｉｌｅ  ＩＤ  ｆｏｒ  ＲＡＴ/Ｆｒｅｑｕｅｎｃｙ  Ｐｒｉｏｒｉｔｙ）が割り当てられるように構成されていてもよい。
【００４８】
或いは、同一のグループに属する移動局ＵＥ＃１及びＵＥ＃２用として設定されるＳ１ベアラを特定可能なＴＥＩＤの上位ビット又は下位ビットの所定数が同じとなるように構成されていてもよい。
【００４９】
図７の例では、同一のグループに属する移動局ＵＥ＃#０及びＵＥ＃１及びどのグループにも属していいない移動局ＵＥ＃２に対して、同じ「ＡＲＰ優先度：１」が設定されているため、かかる優先制御処理部は、「ＳＰＩＤ：５」が設定されている移動局ＵＥ＃０及びＵＥ＃１宛ての下りユーザデータを、「ＳＰＩＤ：１０」が設定されている移動局ＵＥ＃２宛ての下りユーザデータよりも優先的に、Ｕｎ無線ベアラＺに多重するように構成されている。
【００５０】
なお、図８に示すように、本実施形態に係る移動通信システムにおいて、ゲートウェイ装置Ｓ-ＧＷは、各移動局ＵＥ用のゲートウェイ装置（ＵＥ用Ｓ-ＧＷ）と、リレーノードＲＮ用のゲートウェイ装置（ＲＮ用Ｐ/Ｓ-ＧＷ）とを具備しており、所定ＱｏＳ用のＳ１ベアラは、リレーノードＲＮとＲＮ用Ｐ/Ｓ-ＧＷとの間で設定されるように構成されていてもよい。
【００５１】
かかる場合、上述の優先制御処理（ＵＥ毎の優先制御処理）は、図８に示すように、ＲＮ用Ｐ/Ｓ-ＧＷのＰＤＣＰレイヤ機能の上位レイヤ機能に設けられている優先制御処理部において行われるように構成されていてもよい。
【００５２】
ここで、かかる優先制御処理部は、同一のＵｎ無線ベアラに対して、「ＡＲＰ優先度」の高いＳ１ベアラに対して下りユーザデータを優先的にトンネリング化して送信するように構成されている。
【００５３】
また、図９に示すように、本実施形態に係る移動通信システムにおいて、上述の優先制御処理（ＵＥ毎の優先制御処理）は、ＲＮ用Ｐ/Ｓ-ＧＷのＰＤＣＰレイヤ機能の上位レイヤ機能に設けられている優先制御処理部及び無線基地局ＤｅＮＢのＰＤＣＰレイヤ機能の上位レイヤ機能に設けられている優先制御処理部の双方において行われるように構成されていてもよい。
【００５４】
また、図１０に示すように、リレーノードＲＮの優先制御処理部は、所定ＱｏＳ用のＵｕ無線ベアラの各々に割り当てられている優先度に基づいて、所定ＱｏＳ用のＵｕ無線ベアラの各々を介して受信した上りユーザデータの所定ＱｏＳ用のＵｎ無線ベアラへの多重化処理に対する優先制御処理を行うように構成されている。
【００５５】
図１０のタイプ１に示すように、かかる優先制御処理部は、Ｕｕ無線ベアラ＃Ａ０（Ｃ-ＲＮＴＩ（ＵＥ＃０）、ＤＲＢ＃０、Ｅ-ＲＡＢ＃０）を介して受信した移動局ＵＥ＃０用の上りユーザデータを、Ｕｕ無線ベアラ＃Ｂ０（Ｃ-ＲＮＴＩ（ＵＥ＃ｎ）、ＤＲＢ＃０、Ｅ-ＲＡＢ＃０）を介して受信した移動局ＵＥ＃ｎ用の上りユーザデータよりも優先的に、Ｕｎ無線ベアラＸに多重するように構成されていてもよい。
【００５６】
或いは、図１０のタイプ２に示すように、かかる優先制御処理部は、Ｕｕ無線ベアラ＃Ｂ２（Ｃ-ＲＮＴＩ（ＵＥ＃１）、ＤＲＢ＃２、Ｅ-ＲＡＢ＃２）を介して受信した移動局ＵＥ＃１用の上りユーザデータ及びＵｕ無線ベアラ＃Ｃ２（Ｃ-ＲＮＴＩ（ＵＥ＃２）、ＤＲＢ＃２、Ｅ-ＲＡＢ＃２）を介して受信した移動局ＵＥ＃２用の上りユーザデータを、Ｕｕ無線ベアラ＃Ａ２（Ｃ-ＲＮＴＩ（ＵＥ＃０）、ＤＲＢ＃２、Ｅ-ＲＡＢ＃２）を介して受信した移動局ＵＥ＃０用の上りユーザデータよりも優先的に、Ｕｎ無線ベアラＺに多重するように構成されていてもよい。
【００５７】
ここで、移動局ＵＥ＃１及び移動局ＵＥ＃２は、同一のグループに属しているものとする。すなわち、図１０のタイプ２では、かかる優先制御処理部は、各移動局ＵＥが属するグループ単位で、上述の優先制御処理を行うように構成されている。
【００５８】
本実施形態に係る移動通信システムによれば、リレーノードＲＮが、同一のＱｏＳのＵｕ無線ベアラを介して受信した各移動局ＵＥ用の上りユーザデータを、同一のＵｎ無線ベアラに多重するように構成されているため、Ｕｎ無線ベアラ用の無線リソースを効率的に使用することができる。
【００５９】
同様に、本実施形態に係る移動通信システムによれば、無線基地局ＤｅＮＢが、同一のＱｏＳのＳ１ベアラを介して受信した各移動局ＵＥ用の下りユーザデータを、同一のＵｎ無線ベアラに多重するように構成されているため、Ｕｎ無線ベアラ用の無線リソースを効率的に使用することができる。
【００６０】
また、本実施形態に係る移動通信システムにおいて、ＲＮ用Ｐ/Ｓ-ＧＷにおいて優先制御処理を行う場合、無線基地局ＤｅＮＢにおける無線インターフェイスに対する影響を与えることがない。
【００６１】
また、本実施形態に係る移動通信システムにおいて、ＲＮ用Ｐ/Ｓ-ＧＷ及び無線基地局ＤｅｎＢにおいて優先制御処理を行う場合、Ｓ１ベアラ及びＵｎ無線ベアラの双方においてＱｏＳ制御を行うことができる。
【００６２】
以上に述べた本実施形態の特徴は、以下のように表現されていてもよい。
【００６３】
本実施形態の第１の特徴は、複数の移動局ＵＥ＃０〜ＵＥ＃ｎと、リレーノードＲＮと、無線基地局ＤｅＮＢとを具備する移動通信システムであって、複数の移動局ＵＥ＃０〜ＵＥ＃ｎとリレーノードＲＮとの間で設定される複数のＵｕ無線ベアラ（第１無線ベアラ）のうち、異なる移動局ＵＥ用として設定される所定ＱｏＳ用のＵｕ無線ベアラの各々を、リレーノードＲＮと無線基地局ＤｅＮＢとの間で設定される所定ＱｏＳ用のＵｎ無線ベアラ（第２無線ベアラ）にマッピングするように構成されていることを要旨とする。
【００６４】
本実施形態の第１の特徴において、リレーノードＲＮは、所定ＱｏＳ用のＵｕ無線ベアラの各々に割り当てられている優先度に基づいて、所定ＱｏＳ用のＵｕ無線ベアラの各々を介して受信した上りユーザデータの所定ＱｏＳ用のＵｎ無線ベアラへの多重化処理に対する優先制御処理を行うように構成されている優先制御処理部を具備していてもよい。
【００６５】
本実施形態の第１の特徴において、無線基地局ＤｅＮＢとゲートウェイ装置Ｓ-ＧＷとの間で設定される複数のＳ１ベアラ（ベアラ）のうち、異なる移動局ＵＥ用として設定される所定ＱｏＳ用のＳ１ベアラの各々を、所定ＱｏＳ用のＵｎ無線ベアラにマッピングするように構成されていてもよい。
【００６６】
本実施形態の第１の特徴において、無線基地局ＤｅＮＢは、所定ＱｏＳ用のＳ１ベアラの各々に割り当てられている優先度に基づいて、所定ＱｏＳ用のＳ１ベアラの各々を介して受信した下りユーザデータの所定ＱｏＳ用のＵｎ無線ベアラへの多重化処理に対する優先制御処理を行うように構成されている優先制御処理部を具備していてもよい。
【００６７】
本実施形態の第１の特徴において、ゲートウェイ装置Ｓ-ＧＷは、各移動局ＵＥ用のゲートウェイ装置（ＵＥ用Ｓ-ＧＷ）と、リレーノードＲＮ用のゲートウェイ装置（ＲＮ用Ｐ/Ｓ-ＧＷ）とを具備し、所定ＱｏＳ用のＳ１ベアラは、リレーノードＲＮとＲＮ用Ｐ/Ｓ-ＧＷとの間で設定されるように構成されており、ＲＮ用Ｐ/Ｓ-ＧＷは、所定ＱｏＳ用のＳ１ベアラの各々に割り当てられている優先度に基づいて、所定ＱｏＳ用のＳ１ベアラの各々を介した下りユーザデータの送信処理に対する優先制御処理を行うように構成されている優先制御処理部を具備していてもよい。
【００６８】
本実施形態の第２の特徴は、リレーノードＲＮであって、複数の移動局ＵＥ＃０〜ＵＥ＃ｎとリレーノードＲＮとの間で設定される複数のＵｕ無線ベアラのうち、異なる移動局ＵＥ用として設定される所定ＱｏＳ用のＵｕ無線ベアラの各々を、リレーノードＲＮと無線基地局ＤｅＮＢとの間で設定される所定ＱｏＳ用のＵｎ無線ベアラにマッピングするように構成されているマッピング処理部と、所定ＱｏＳ用のＵｕ無線ベアラの各々に割り当てられている優先度に基づいて、所定ＱｏＳ用のＵｕ無線ベアラの各々を介して受信した上りユーザデータの所定ＱｏＳ用のＵｎ無線ベアラへの多重化処理に対する優先制御処理を行うように構成されている優先制御処理部とを具備することを要旨とする。
【００６９】
本実施形態の第３の特徴は、無線基地局ＤｅＮＢであって、無線基地局ＤｅＮＢとゲートウェイ装置Ｓ-ＧＷとの間で設定される複数のＳ１ベアラのうち、異なる移動局ＵＥ用として設定される所定ＱｏＳ用のＳ１ベアラの各々を、リレーノードＲＮと無線基地局ＤｅＮＢとの間で設定される所定ＱｏＳ用のＵｎ無線ベアラにマッピングするように構成されているマッピング処理部と、所定ＱｏＳ用のＳ１ベアラの各々に割り当てられている優先度に基づいて、所定ＱｏＳ用のＳ１ベアラの各々を介して受信した下りユーザデータの所定ＱｏＳ用のＵｎ無線ベアラへの多重化処理に対する優先制御処理を行うように構成されている優先制御処理部とを具備することを要旨とする。
【００７０】
本実施形態の第４の特徴は、リレーノードＲＮ用のゲートウェイ装置（ＲＮ用Ｐ/Ｓ-ＧＷ）であって、無線基地局ＤｅＮＢとＲＮ用Ｐ/Ｓ-ＧＷとの間で設定される複数のＳ１ベアラのうち、異なる移動局ＵＥ用として設定される所定ＱｏＳ用のＳ１ベアラの各々が、リレーノードＲＮと無線基地局ＤｅＮＢとの間で設定される所定ＱｏＳ用のＵｎ無線ベアラにマッピングされるように構成されている場合に、所定ＱｏＳ用のＳ１ベアラの各々に割り当てられている優先度に基づいて、所定ＱｏＳ用のＳ１ベアラの各々を介した下りユーザデータの送信処理に対する優先制御処理を行うように構成されている優先制御処理部とを具備することを要旨とする。
【００７１】
なお、上述の移動局ＵＥやリレーノードＲＮや無線基地局ＤｅＮＢや交換局ＭＭＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやリレーノードＲＮや無線基地局ＤｅＮＢや交換局ＭＭＥ内に設けられていてもよい。また、かかる記憶媒体及びプロセッサは、ディスクリートコンポーネントとして移動局ＵＥやリレーノードＲＮや無線基地局ＤｅＮＢや交換局ＭＭＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＵＥ…移動局
ＲＮ…リレーノード
ＤｅＮＢ…無線基地局
ＭＭＥ…交換局
【図１】
2010283792.tif 000003
【図２】
2010283792.tif 000004
【図３】
2010283792.tif 000005
【図４】
2010283792.tif 000006
【図５】
2010283792.tif 000007
【図６】
2010283792.tif 000008
【図７】
2010283792.tif 000009
【図８】
2010283792.tif 000010
【図９】
2010283792.tif 000011
【図１０】
2010283792.tif 000012